(57)【要約】【課題】  受信特性を良化させるために３つ以上の受信処理部で送信信号を受信し、それらの受信信号をダイバーシティ合成処理する機能を備えながら、回路規模を小さくし、消費電力を低減できるダイバーシティ受信装置を提供する。【解決手段】  本発明のダイバーシティ受信装置1000は、２系統の受信信号をダイバーシティ合成して出力するダイバーシティ合成処理部51と、各々のアンテナ10,20,30で受信した信号をダイバーシティ合成可能な形式に復調処理して出力する、３つ以上の受信処理部11,21,31と、３つ以上の受信処理部各々の受信状況の良否を判断して良好な状況にある２つの受信処理部を選択し、選択した２つの受信処理部の復調信号それぞれをダイバーシティ合成処理部51に入力させる受信動作制御部50とを備えたものである。【選択図】      図１
2007067679.tif 000002
【特許請求の範囲】
【請求項１】
２系統の受信信号をダイバーシティ合成して出力するダイバーシティ合成処理部と、
各々のアンテナで受信した信号をダイバーシティ合成可能な形式に復調処理して出力する、３つ以上の受信処理部と、
前記３つ以上の受信処理部各々の受信状況の良否を判断して良好な状況にある２つの受信処理部を選択し、選択した２つの受信処理部の復調信号それぞれを前記ダイバーシティ合成処理部に入力させる受信動作制御部とを備えたことを特徴とするダイバーシティ受信装置。
【請求項２】
前記３つ以上の受信処理部のうちの少なくとも１つの受信処理部は、着脱可能な前記アンテナと、当該アンテナの装着を検出するアンテナ検出手段とを有し、
前記受信動作制御部は、いずれかのアンテナ検出手段からアンテナ装着検出信号を受信しない時には、当該アンテナ検出手段を有する受信処理部を除き、残りの複数の受信処理部それぞれの受信状況を判断して良好な状況にある２つの受信処理部を選択することを特徴とする請求項１に記載のダイバーシティ受信装置。
【請求項３】
前記アンテナで受信した信号から信号品質の劣化度合を示す品質値を所定期間毎に算出する品質値算出部をアンテナ毎に備え、
前記受信動作制御部は、各品質値算出部から出力された品質値から受信状況の良否を判断することを特徴とする請求項１に記載のダイバーシティ受信装置。
【請求項４】
前記品質値算出部は、前記アンテナで受信した信号の誤り率を前記品質値として前記所定期間毎に算出することを特徴とする請求項３に記載のダイバーシティ受信装置。
【請求項５】
前記品質値算出部は、前記アンテナで受信した信号の振幅値を特定の値に近付けるための制御量を前記品質値として前記所定期間毎に算出することを特徴とする請求項３に記載のダイバーシティ受信装置。
【請求項６】
前記品質値算出部は、多値変調方式に従う複素平面における全ての基準点を囲む領域の外延から所定距離以上隔てられた箇所で特定された前記所定期間における受信信号の信号点の数を前記品質値として前記所定期間毎に算出することを特徴とする請求項３に記載のダイバーシティ受信装置。
【請求項７】
前記所定距離は、前記複素平面における隣接する前記基準点間の半分の距離であることを特徴とする請求項６に記載のダイバーシティ受信装置。
【請求項８】
前記３つ以上の受信処理部のうちの少なくとも１つの受信処理部は、着脱可能な前記アンテナと、当該アンテナの装着を検出するアンテナ検出手段とを有し、
前記品質値算出部は、前記アンテナ検出手段がアンテナ検出信号を出力しない受信処理部について前記品質値を最も低くして出力することを特徴とする請求項３〜７のいずれかに記載のダイバーシティ受信装置。
【請求項９】
前記着脱可能なアンテナは、当該ダイバーシティ受信装置の復調再生音を出力するイヤホンの信号線と共通のワイヤアンテナであることを特徴とする請求項２〜８のいずれかに記載のダイバーシティ受信装置。
【請求項１０】
携帯サイズの筐体を有し、
着脱可能でないアンテナとして、全体もしくは一部が当該筐体の外に向いているアンテナと、筐体の中に内蔵されたアンテナとを備えたことを特徴とする請求項９に記載のダイバーシティ受信装置。
【発明の詳細な説明】
【技術分野】
【０００１】
本発明は、所定の変調方式を用いて無線送信された信号を受信して復調するダイバーシティ受信装置に関する。
【背景技術】
【０００２】
従来、例えば、特開２００３−２８３４５９号（特許文献１）に記載されているように、複数の受信処理部を備えるダイバーシティ受信装置が知られている。このダイバーシティ受信装置は、複数の受信処理部によって受信された信号を合成して出力する受信処理、つまりダイバーシティ受信処理を行うものである。
【０００３】
このようなダイバーシティ受信装置を、移動受信に特化された携帯受信端末に適用する場合、次の点を考慮しなければならない。すなわち、携帯受信端末の場合、常に移動の可能性があるため、複数の受信処理部のいずれにおいても安定した受信状況を維持することは難しい。そのため、携帯受信端末には可能な限り多くの数の受信処理部を備える方が望ましい。他方、携帯受信端末であれば小型であること、また低消費電力特性を有していることが求められる。そのため、携帯受信端末にダイバーシティ受信装置を適用するのであれば、各受信処理部での受信処理やダイバーシティ合成処理のための回路規模が大きくなったり、消費電力が大きくなったりすることは望ましくない。
【特許文献１】特開２００３−２８３４５９号公報
【発明の開示】
【発明が解決しようとする課題】
【０００４】
本発明は、このような従来の技術的課題に鑑みてなされたものであり、受信特性を良化させるために３つ以上の受信処理部で送信信号を受信し、それらの受信信号をダイバーシティ合成処理する機能を備えながら、回路規模を小さくし、消費電力を低減できるダイバーシティ受信装置を提供することを目的とする。
【課題を解決するための手段】
【０００５】
請求項１の発明のダイバーシティ受信装置は、２系統の受信信号をダイバーシティ合成して出力するダイバーシティ合成処理部と、各々のアンテナで受信した信号をダイバーシティ合成可能な形式に復調処理して出力する、３つ以上の受信処理部と、前記３つ以上の受信処理部各々の受信状況の良否を判断して良好な状況にある２つの受信処理部を選択し、選択した２つの受信処理部の復調信号それぞれを前記ダイバーシティ合成処理部に入力させる受信動作制御部とを備えたことを特徴とするものである。
【０００６】
請求項１の発明のダイバーシティ受信装置では、３つ以上の受信処理部を備え、そのうちの良好な受信状況の２つの受信処理部の受信信号をダイバーシティ合成処理することで、受信特性を良化する。その一方で、３つ以上の受信処理部のうち、受信状況が良好な２つのみを動作させる制御を行い、２系統の受信信号をダイバーシティ合成することで、全ての受信処理部の受信信号をダイバーシティ合成処理するより、回路規模を小さくし、消費電力の低減が図れる。
【０００７】
請求項２の発明は、請求項１のダイバーシティ受信装置において、さらに、前記３つ以上の受信処理部のうちの少なくとも１つの受信処理部は、着脱可能な前記アンテナと、当該アンテナの装着を検出するアンテナ検出手段とを有し、前記受信動作制御部は、いずれかのアンテナ検出手段からアンテナ装着検出信号を受信しない時には、当該アンテナ検出手段を有する受信処理部を除き、残りの複数の受信処理部それぞれの受信状況を判断して良好な状況にある２つの受信処理部を選択することを特徴とするものである。
【０００８】
請求項３の発明は、請求項１のダイバーシティ受信装置において、さらに、前記アンテナで受信した信号から信号品質の劣化度合を示す品質値を所定期間毎に算出する品質値算出部をアンテナ毎に備え、前記受信動作制御部は、各品質値算出部から出力された品質値から受信状況の良否を判断することを特徴とするものである。
【０００９】
請求項４の発明は、請求項３のダイバーシティ受信装置において、前記品質値算出部は、前記アンテナで受信した信号の誤り率を前記品質値として前記所定期間毎に算出することを特徴とするものである。
【００１０】
請求項５の発明は、請求項３のダイバーシティ受信装置において、前記品質値算出部は、前記アンテナで受信した信号の振幅値を特定の値に近付けるための制御量を前記品質値として前記所定期間毎に算出することを特徴とするものである。
【００１１】
請求項６の発明は、請求項３のダイバーシティ受信装置において、前記品質値算出部は、多値変調方式に従う複素平面における全ての基準点を囲む領域の外延から所定距離以上隔てられた箇所で特定された前記所定期間における受信信号の信号点の数を前記品質値として前記所定期間毎に算出することを特徴とするものである。
【００１２】
請求項７の発明は、請求項６のダイバーシティ受信装置において、前記所定距離は、前記複素平面における隣接する前記基準点間の半分の距離であることを特徴とするものである。
【００１３】
請求項８の発明は、請求項３〜７のダイバーシティ受信装置において、前記３つ以上の受信処理部のうちの少なくとも１つの受信処理部は、着脱可能な前記アンテナと、当該アンテナの装着を検出するアンテナ検出手段とを有し、前記品質値算出部は、前記アンテナ検出手段がアンテナ検出信号を出力しない受信処理部について前記品質値を最も低くして出力することを特徴とするものである。
【００１４】
請求項９の発明は、請求項２〜８のダイバーシティ受信装置において、前記着脱可能なアンテナは、当該ダイバーシティ受信装置の復調再生音を出力するイヤホンの信号線と共通のワイヤアンテナであることを特徴とするものである。
【００１５】
請求項１０の発明は、請求項９のダイバーシティ受信装置において、携帯サイズの筐体を有し、着脱可能でないアンテナとして、全体もしくは一部が当該携帯受信端末の筐体の外に向いているアンテナと、筐体の中に内蔵されたアンテナとを備えたことを特徴とするものである。
【発明の効果】
【００１６】
本発明によれば、３つ以上の受信処理部と２系統の受信信号に対してダイバーシティ合成処理を行うダイバーシティ合成処理部とを備えるダイバーシティ受信装置にあって、回路規模を小さくし、また消費電力を低減できる上に、その受信特性を向上させることができる。
【発明を実施するための最良の形態】
【００１７】
以下、本発明の実施の形態を図に基づいて詳説する。
【００１８】
（第１の実施の形態）図１は本発明の第１の実施の形態のダイバーシティ受信装置の構成を示している。本実施の形態のダイバーシティ受信装置１０００は、２系統の受信信号をダイバーシティ合成して出力するダイバーシティ合成処理部５１と、各々のアンテナ１０，２０，３０で受信した信号をダイバーシティ合成可能な形式に復調処理して出力する、第１〜第３の受信機構１００，２００，３００と、第１〜第３の受信機構１００，２００，３００各々の受信状況の良否を判断して良好な状況にある２つの受信機構を選択し、選択した２つの受信機構の受信信号それぞれをダイバーシティ合成処理部５１に入力させる受信動作制御部５０とを備えている。
【００１９】
第１の受信機構１００は、第１のアンテナ１０で受信した信号を第１の受信処理部１１でダイバーシティ合成可能な方式に変換してダイバーシティ合成処理部５１に出力し、第１の品質値算出部１２で品質値を算出し動作制御部５０に出力する。第２の受信機構２００は、第２のアンテナ２０で受信した信号を第２の受信処理部２１でダイバーシティ合成可能な方式に変換してダイバーシティ合成処理部５１に出力し、第２の品質値算出部２２で品質値を算出し動作制御部５０に出力する。第３の受信機構３００は、第３のアンテナ３０で受信した信号を第３の受信処理部３１でダイバーシティ合成可能な方式に変換してダイバーシティ合成処理部５１に出力し、第３の品質値算出部３２で品質値を算出し動作制御部５０に出力する。
【００２０】
動作制御部５０は、一定間隔毎に全受信機構１００，２００，３００に起動をかけ、第１の受信機構１００、第２の受信機構２００、第３の受信機構３００の品質値から判断してより良好な受信状況にある受信機構を２系統選出し、選出しなかった１系統の受信機構に対して次の起動タイミングまで停止させ、他方、ダイバーシティ合成処理部５１に対しては、選出した２つの受信機構の受信処理部からの信号を用いて、２系統の受信信号によるダイバーシティ合成処理を行うよう制御する。ダイバーシティ合成処理部５１は、動作制御部５０で選出された２系統の受信信号を用いてダイバーシティ合成処理を行い、合成結果を出力する。
【００２１】
各受信機構１００，２００，３００における受信処理部１１，２１，３１及び品質算出部１２，２２，３２は、図２に示す共通の構成を有している。各受信機構１００，２００，３００は、アンテナｘ０と、チューナｘ１と、ＡＧＣ部ｘ２と、Ａ／Ｄ変換部ｘ３と、同期部ｘ４と、ＦＦＴ部ｘ５と、復調部ｘ６と、基準点特定部ｘ７と、ずれ検出部ｘ８と、ずれ異常数算出部ｘ９と、制御量算出部ｘ１０とを備えている。なお、ずれ異常数算出部ｘ９又は制御量算出部ｘ１０は、各受信機構１００，２００，３００における品質算出部１２，２２，３２をも構成する。
【００２２】
アンテナｘ０は、送信部（図示せず）から送信された信号を受信する。チューナｘ１は、アンテナｘ０により受信された信号よりベースバンド信号を出力する。ＡＧＣ部ｘ２は、制御量算出部ｘ１０により算出された制御量に基づいて、チューナｘ１より出力される信号の電力値を増減させて、特定の電力値に近づける。同期部ｘ４は、Ａ／Ｄ変換部ｘ３より出力される信号を同期させ、ヒルベルト変換等を用いて同期させた信号をＩ軸成分の信号とＱ軸成分の信号とに分ける。ＦＦＴ部ｘ５は、高速フーリエ変換を実行することにより、同期部ｘ４により出力された時間軸に沿う信号を周波数軸に沿う信号に変換する。
【００２３】
復調部ｘ６は、ＦＦＴ部ｘ５より出力される信号を、多値変調方式を用いて復調する。具体的には、復調部ｘ６は、多値変調方式に従うＩ軸成分及びＱ軸成分からなる平面である複素平面において、ＦＦＴ部ｘ５より出力される信号に対応する信号点を特定する。
【００２４】
基準点特定部ｘ７は、復調部ｘ６より出力される信号に含まれているパイロット信号の平均値を算出し、これに所定の係数を乗算することにより、複素平面上での基準点を算出する。また、基準点特定部ｘ７は、複素平面における受信信号の信号点に最も近い基準点を特定する。図３は、複素平面上での各基準点と受信信号の信号点とを示す図である。図３に示すように、例えば、受信信号の信号点Ｐ１は基準点ａに最も近い。このため、基準点特定部ｘ７は信号点Ｐ１に最も近い基準点ａを特定する。
【００２５】
ずれ検出部ｘ８は、基準点特定部ｘ７により特定された基準点に対する受信信号の信号点のずれの方向と大きさとを検出する。図３に示すように、例えば、ずれ検出部ｘ８は、基準点特定部ｘ７により特定された基準点ａに対する受信信号の信号点のずれの方向と大きさとして、Ｉ軸成分に沿う正方向のＤＩ、Ｑ軸成分に沿う正方向のＤＱを検出する。また、ずれ検出部ｘ８は、多値変調方式に従う複素平面における受信信号の信号点と基準点との間の距離を示す２点間距離を算出する。ずれ異常数算出部ｘ９は、複素平面における全ての基準点を囲む領域（領域Ｒ１）の外延から所定距離以上隔てられた箇所（領域Ｒ２を越える箇所）で特定された所定期間における受信信号の信号点の数を品質値として算出する。本実施の形態では上記所定距離は、複素平面における隣接する基準点間の半分の距離であるとする。
【００２６】
図４は、本実施の形態における１６ＱＡＭの複素平面を示す図である。図４に示すように、ずれ異常数算出部ｘ９は、領域Ｒ１，Ｒ２を複素平面に設定する。この領域Ｒ１，Ｒ２は、複素平面における全ての基準点を囲む領域である。本実施の形態では、いずれか一方向に隣接する基準点が存在しない特定の基準点、例えば、（１１００），（１１０１），（１００１），（１０００）の点などが複数特定される。特定された各基準点の外延Ｗ１，Ｗ２を囲む領域が上記Ｒ１，Ｒ２となる。また、領域Ｒ２は、隣接する基準点間、例えば、基準点（１１００）と基準点（１１１０）との間の半分の距離Ｌ１（所定距離）を領域Ｒ１の外延Ｗ１から隔てながら領域Ｒ１を囲む領域である。
【００２７】
上記ずれ異常数算出部ｘ９は、領域Ｒ２の外（図４に示す斜線部分）で特定された所定期間内における受信信号の信号点の数（いわゆる異常数）を品質値として算出する。
【００２８】
ここで、複素平面における領域Ｒ２の外で特定された受信信号の信号点が多く存在する場合には、その領域Ｒ２の内では受信信号の信号点が誤基準点に近づく可能性が高くなる。このため、ダイバーシティ合成処理部５１が誤基準点を特定した受信処理部により出力された信号を選択することがある。
【００２９】
言い換えると、図５に示すように、基準点ａに関係する受信信号の信号点が点在している領域Ｋがある場合に、その領域Ｋが領域Ｒ２と重なる程大きくなると、領域Ｋの中では受信信号の信号点（例えば、Ｐ５０，Ｐ６０）が本来の基準点ａよりも誤基準点ｃなどに近くなる可能性が高くなる。このため、各受信処理部からの受信信号の信号点がＰ５０，Ｐ６０である場合には、本来の基準点ａが特定されずに、誤基準点ｃが特定されることとなる。したがって、ダイバーシティ合成処理部５１は、誤基準点ｃに対応する信号を誤って出力してしまう。
【００３０】
そこで、ずれ異常数算出部ｘ９は、複素平面における全ての基準点を囲む領域Ｒ１の外延から所定距離以上隔てられた箇所（領域Ｒ２を越える箇所）で所定期間内において特定された受信信号の信号点が存在する場合には、当該所定期間内における受信信号の信号点の数を品質値として算出する。すなわち、この品質値が大きくなる程、受信処理部により受信された信号の品質が劣化していることとなる。
【００３１】
そして、動作制御部５０が、各受信処理部における品質値の大きさに応じて、ダイバーシティ受信処理を実行させる受信状況のより良好な受信処理部を２つ選択して受信信号の復調処理を実行させ、残りの１つの受信処理部を含む受信機能の動作は一時的に停止させることにより、本実施の形態のダイバーシティ受信装置１０００は、各受信機構１００，２００，３００ののうち、より良好な受信状況にある２つの受信機構それぞれに属する受信処理部からの信号を選択してダイバーシティ受信処理をして出力することができる。
【００３２】
また、複素平面における全ての基準点を囲む領域Ｒ１の外延から領域Ｒ２までの所定距離が、隣接する基準点間の半分の距離Ｌ１である。この所定距離Ｌ１以上隔てられた領域Ｒ２を越える箇所で特定された受信信号の信号点の数が多くなるということは、上記領域１内では誤基準点により近い受信信号の信号点が増える可能性が高くなる。したがって、上記領域Ｒ２を越える箇所で特定された受信信号の信号点の数が品質値としてより適切に算出されることにより、動作制御部５０は、各受信処理部１１，２１，３１における品質値に基づいて、適切な２つの受信処理部からの復調信号に対してダイバーシティ受信処理を適切に実行させることができる。
【００３３】
制御量算出部ｘ１０は、復調部ｘ６により復調された信号の電力値の大小に応じて受信信号に対するＡＧＣ部ｘ２のゲインの増減量を算出し、それによってＡＧＣ部ｘ２のゲインを調整し、結果として復調部ｘ６により復調される信号の電力値を特定の電力値に近づけるためのものである。本実施の形態の場合、上述したずれ異常数に代えて、この制御量算出部ｘ１０の出力する制御量を復調部ｘ６により復調された信号の品質の劣化の度合を示す品質値とすることができる。その場合、品質値を算出するための回路を新たに設ける必要がなくなる。これにより、ダイバーシティ受信装置１０００が拡大されなくても、上記制御量に基づいても適切にダイバーシティ受信処理を実行させることができる。
【００３４】
なお、各受信機構１００，２００，３００において、品質算出部１２，２２，３２の算出する品質値としては、広い意味での信号の誤っている確率あるいは度合いを採用することができる。それにはＭＥＲ（変調誤差比）、上述したずれ異常数、さらにはビット誤り率等、各受信機構１００，２００，３００での信号の誤りの度合いを示す指標のいずれを採用して対象としてもよい。また、品質値として、所定期間における上記の何れかの品質値の平均を用いることもできる。
【００３５】
動作制御部５０は、各受信機構１００，２００，３００における品質値算出部１２，２２，３２が算出する品質値に基づいて、ワースト１の受信機構の動作を次の起動タイミングまで停止させ、残りのより受信状況の良好な２つの受信機構を選択し、それらの受信信号をダイバーシティ合成処理部５１に入力させ、ダイバーシティ受信処理を実行させる。
【００３６】
ここで、ダイバーシティ受信処理とは、いま、例えば第１の受信機構１００と第２の受信機構２００とが選択されたとした場合、これら選択された２つの受信機構１００，２００それぞれの受信処理部１１，２１により受信され復調される信号を合成して出力する処理である。すなわち、ダイバーシティ受信処理は、第１の受信機構１００の受信処理部１１及び第２の受信機構２００の受信処理部２１を動作させて、それらの受信処理部１１，２１により出力される各受信信号の信号点に最も近い基準点が一致している場合には、該基準点に対応する信号を出力する処理を含む。また、ダイバーシティ受信処理は、第１の受信処理部１１及び第２の受信処理部２１により出力される各受信信号のうち、最も基準点に近い信号点を持つ受信信号を選択し、選択した受信信号を出力する処理を含む。
【００３７】
以上のように、本実施の形態のダイバーシティ受信装置では、常により状態の良い２系統の受信機構の受信信号を合成するダイバーシティ合成処理を行うことで、３系統を合成するダイバーシティ合成処理よりも少ない回路規模、消費電力で、安定して良好な受信特性を得ることができる。具体的には、極めて受信状況の悪い受信機構を含めて３系統を合成すると、極めて受信状況の悪い受信機構の受信信号は常に信頼性が最低であるという情報が正しく得られていない場合、３系統で合成することにより特性が劣化する可能性がある。また、常にダイバーシティ合成を行うことでシングル受信よりも良好な特性が見込める。
【００３８】
（第２の実施の形態）図６は本発明の第２の実施の形態のダイバーシティ受信装置２０００の構成を示している。このダイバーシティ受信装置２０００において、第１の受信機構１００は、第１のアンテナ１０で受信した信号を第１の受信処理部１１でダイバーシティ合成可能な方式に変換してダイバーシティ合成処理部５１に出力し、第１の品質値算出部１２で品質値を算出し動作制御部５０に出力する。また、第１のアンテナ１０は着脱可能なアンテナで、接触センサ部１３でアンテナが接続されているかどうかを判定し、結果を第１の品質値算出部１２に出力する。第１の品質値算出部１２はアンテナ１０が接続されていない時は品質値を受信品質が最も低いことを示す値に設定して動作制御部５０に出力する。
【００３９】
第２の受信機構２００は、第２のアンテナ２０で受信した信号を第２の受信処理部２１でダイバーシティ合成可能な方式に変換してダイバーシティ合成処理部５１に出力し、第２の品質値算出部２２で品質値を算出し動作制御部５０に出力する。第３の受信機構３００は、第３のアンテナ３０で受信した信号を第３の受信処理部３１でダイバーシティ合成可能な方式に変換してダイバーシティ合成処理部５１に出力し、第３の品質値算出部３２で品質値を算出し動作制御部５０に出力する。
【００４０】
上記の第１〜第３の受信機構１００，２００，３００それぞれの送信信号の受信、復調処理、受信信号の品質値の算出処理はすべて第１の実施の形態と同様であり、図２に示す構成により実施される。
【００４１】
動作制御部５０は、一定間隔毎に、第１、第２、第３の品質算出部１２，２２，３２それぞれからの品質値を比較し、より良好な受信状況にある受信機構を２系統選出し、選出しなかった１系統の受信機構に対して、次の起動タイミングまで動作しないように停止制御し、ダイバーシティ合成処理部５０に対して、選出した２つの受信処理部からの信号を用いて２系統の受信信号によるダイバーシティ合成処理を行うよう制御する。
【００４２】
ダイバーシティ合成処理部５１は、動作制御部５０で選出された２系統の受信信号を用いてダイバーシティ合成処理を行い、合成結果を出力する。
【００４３】
本実施の形態のダイバーシティ受信装置では、常により状態の良い２系統の受信機構の受信信号を合成するダイバーシティ合成処理を行うことで、３系統を合成するダイバーシティ合成処理よりも少ない回路規模、消費電力で、安定して良好な受信特性を得ることができる。具体的には、アンテナが接続されていない受信機構を含めて３系統を合成すると、アンテナが接続されていない受信機構の受信信号は常に信頼性が最低であるという情報が正しく得られていない場合、３系統で合成することにより特性が劣化する可能性があるが、そのような状況を避けることができる。また、常にダイバーシティ合成を行うことでシングル受信よりも良好な受信特性が見込める。加えて、３つのアンテナのうちの１つのアンテナ１０は第１の受信機構１００の受信処理部１１に対して着脱可能であり、その着脱状態を接触センサ１３にて検出して第１の品質値算出部１２に出力し、第１の品質値算出部１２ではアンテナが未装着状態では第１の受信機構１００の受信信号の品質を最低に設定するので、アンテナ未装着ゆえに極端に悪い受信状態の第１の受信機構１００の受信信号をダイバーシティ合成処理に使用することが確実に回避できる。
【００４４】
（第３の実施の形態）次に、本発明の第３の実施の形態のダイバーシティ受信機能を備えた携帯受信端末について、図７を用いて説明する。本実施の形態の携帯受信端末３０００は、第２の実施の形態と同様に第１〜第３の受信機構１００，２００，３００を備え、そのうちの第１の受信機構１００には着脱可能なアンテナとして、受信再生した音を出力するイヤホンのリード線とアンテナ線とが共通になったイヤホン型アンテナ１０Ａを備え、それ以外の着脱できない固定アンテナは全体もしくは一部が当該端末３０００の筐体１の外側に向いているアンテナ２０Ａや筐体１に内蔵されたアンテチ３０Ａの組合せである。尚、その他の構成、そして動作については、図６に示した第２の実施の形態と共通するが、本実施の形態の場合、筐体１が使用者の携帯できるサイズであり、その中に必要な部品のすべてが収容されている点を特徴とする。
【００４５】
本実施の形態の携帯受信端末３０００では、ダイバーシティ受信により、従来方法よりも小さい回路規模、消費電力にしてより安定して良好な受信特性が得られる。
【００４６】
尚、上記の各実施の形態では３つの受信機構を例示したが、４つ以上の受信機構に対しても本発明は適用することができる。
【００４７】
また、ここに示した実施の形態は本発明の一例であって、本発明の特許請求の範囲を限定するものではない。
【図面の簡単な説明】
【００４８】
【図１】本発明の第１の実施の形態のダイバーシティ受信装置のブロック図。
【図２】上記実施の形態における第１〜第３の受信機構それぞれに共通する受信処理部及び品質算出部の内部構成を示すブロック図。
【図３】上記実施の形態における多値変調方式に従う複素平面を示す図。
【図４】上記実施の形態における多値変調方式に従う複素平面を示す図。
【図５】上記実施の形態における多値変調方式に従う複素平面を示す図。
【図６】本発明の第２の実施の形態のダイバーシティ受信装置のブロック図。
【図７】本発明の第３の実施の形態の携帯受信端末のブロック図。
【符号の説明】
【００４９】
１…筐体、１０，２０，３０…アンテナ、１１，２１，３１…受信処理部、１２，２２，３２…品質算出部、５０…動作制御部、５１…ダイバーシティ合成処理部、１３…接続センサ、１０Ａ…イヤホン型アンテナ、２０Ａ…ホイップアンテナ、３０Ａ…内蔵アンテナ、１００，２００，３００…受信機構
【図１】
2007067679.tif 000003
【図２】
2007067679.tif 000004
【図３】
2007067679.tif 000005
【図４】
2007067679.tif 000006
【図５】
2007067679.tif 000007
【図６】
2007067679.tif 000008
【図７】
2007067679.tif 000009